(57)【要約】【課題】光学ズームの高倍率化に比較しカメラ本体の大型化の割合が小さく、光学ズームの高倍率化とカメラ本体のコンパクト化とが同時に実現可能となるカメラ装置を提供する。【解決手段】レンズ鏡筒３内に組み込まれ、カメラ本体２に収容された状態、及びズーム倍率に応じてカメラ本体２から繰り出された状態にレンズ鏡筒３と共に駆動される沈胴側ズーム光学系４と、カメラ本体２の内部で、前記沈胴側ズーム光学系を通った撮影光を折り曲げるミラー５と、ミラー５によって折り曲げられた撮影光の光軸Ｏ上をズーム倍率に応じて駆動されるインナー側ズーム光学系６，７とによって光学ズームを構成する。沈胴側ズーム光学系４とインナー側ズーム光学系６，７との双方によって高いズーム倍率が確保できる。かつそのズーム倍率をいずれか一方のズーム光学系のみによって達成する場合に比べカメラ本体２を小型化することができる。【選択図】      図１
2006243234.tif 000002
【特許請求の範囲】
【請求項１】
光学ズームレンズを備えたカメラ装置において、
前記光学ズームレンズが、
レンズ鏡筒内に組み込まれ、カメラ本体に収容された状態、及びズーム倍率に応じてカメラ本体から繰り出された状態にレンズ鏡筒と共に駆動される沈胴側ズーム光学系と、
カメラ本体の内部で、前記沈胴側ズーム光学系を通った撮影光を折り曲げる折曲げ用光学素子と、
この折曲げ用光学素子によって折り曲げられた撮影光の光軸上をズーム倍率に応じて駆動されるインナー側ズーム光学系と
を含むことを特徴とするカメラ装置。
【請求項２】
前記折曲げ用光学素子に向けて撮影光を集光する、前記沈胴側ズーム光学系に設けられた集光レンズと、
前記折曲げ用光学素子によって折り曲げられた撮影光を拡散させる拡散レンズと
を備えたことを特徴とする請求項１記載のカメラ装置。
【請求項３】
前記拡散レンズは、前記折曲げ用光学素子によって折り曲げられた撮影光を前記インナー側ズーム光学系へ拡散して入射させることを特徴とする請求項２記載のカメラ装置。
【請求項４】
前記集光レンズは、前記折曲げ用光学素子に被写体の光学像を結像させるフォーカスレンズであることを特徴とする請求項２又は３記載のカメラ装置。
【請求項５】
前記インナー側ズーム光学系を通って結像された被写体の光学像を撮像する撮像素子と、
この撮像素子によって撮像された被写体画像の画像データを記録する記録手段と
を備えたことを特徴とする請求項１乃至４のいずれかに記載のカメラ装置。
【請求項６】
前記沈胴側ズーム光学系を駆動する沈胴側駆動手段と、
前記インナー側ズーム光学系を駆動するインナー側駆動手段と、
撮影モードの動作終了時に、前記沈胴側駆動手段により沈胴側ズーム光学系を前記レンズ鏡筒と共にカメラ本体に収容させ、かつ前記インナー側駆動手段によりインナー側ズーム光学系を、カメラ本体に収容された状態の沈胴側ズーム光学系に対応するワイド端側の倍率位置に駆動させる制御手段と
を備えたことを特徴とする請求項１乃至５のいずれかに記載のカメラ装置。
【請求項７】
レンズ鏡筒内に組み込まれ、カメラ本体に収容された状態、及びズーム倍率に応じてカメラ本体から繰り出された状態にレンズ鏡筒と共に駆動される沈胴側ズーム光学系と、カメラ本体の内部で、前記沈胴側ズーム光学系を通った撮影光を折り曲げる折曲げ用光学素子とを含む光学ズームレンズを備えたカメラ装置が有するコンピュータに、
撮影モードの動作終了時に、沈胴側ズーム光学系を前記レンズ鏡筒と共にカメラ本体に収容させ、かつ前記インナー側駆動手段によりインナー側ズーム光学系を、カメラ本体に収容された状態の沈胴側ズーム光学系に対応するワイド端側の倍率位置に駆動させる処理を実行させるためのプログラム。
【発明の詳細な説明】
【技術分野】
【０００１】
本発明は、光学ズームを有するカメラ装置に関するものである。
【背景技術】
【０００２】
従来、所謂コンパクトカメラにおける光学ズームには、撮影時にカメラ本体から繰り出される鏡筒内にズーム光学系が組み込まれ、ズーム倍率に応じてズーム光学系が移動する沈胴式（例えば、下記特許文献１参照）と、入射した撮影光をいったん曲げるプリズムやミラー等の光学素子、及び曲げた撮影光の光軸方向（通常は上下方向）に移動するズーム光学系とからなるインナー式（例えば、下記特許文献２参照）とがある。
【特許文献１】特開２００２−１１２０９７号公報
【特許文献２】特開平１０−２０１９１号公報
【発明の開示】
【発明が解決しようとする課題】
【０００３】
しかしながら、沈胴式の光学ズームでは、非使用時にはズーム光学系をカメラ本体の厚みの内に収容する必要があり、また、インナー式の光学ズームではズーム光学系の移動スペースをカメラ本体内に常時確保する必要がある。これに対しコンパクトカメラに確保可能な本体サイズには市場の要求を考えると自ずと限度があり、したがって、現状においてはコンパクトカメラに確保可能な光学ズームの倍率が３倍程度に止まっている状況にある。
【０００４】
本発明は、かかる従来の課題に鑑みてなされたものであり、光学ズームの高倍率化に比較しカメラ本体の大型化の割合が小さく、光学ズームの高倍率化とカメラ本体のコンパクト化とが同時に実現可能となるカメラ装置を提供することを目的とする。
【課題を解決するための手段】
【０００５】
前記課題を解決するため請求項１の発明にあっては、光学ズームレンズを備えたカメラ装置において、前記光学ズームレンズが、レンズ鏡筒内に組み込まれ、カメラ本体に収容された状態、及びズーム倍率に応じてカメラ本体から繰り出された状態にレンズ鏡筒と共に駆動される沈胴側ズーム光学系と、カメラ本体の内部で、前記沈胴側ズーム光学系を通った撮影光を折り曲げる折曲げ用光学素子と、この折曲げ用光学素子によって折り曲げられた撮影光の光軸上をズーム倍率に応じて駆動されるインナー側ズーム光学系とを含むものとした。
【０００６】
かかる構成においては、沈胴側ズーム光学系とインナー側ズーム光学系との双方によって高いズーム倍率を確保することができる。しかも、そのズーム倍率を沈胴側ズーム光学系とインナー側ズーム光学系といずれか一方のみによって達成する場合に比べ、カメラ本体を小型化することができる。つまり光学ズームの高倍率化に比較しカメラ本体の大型化の割合を小さくすることができる。
【０００７】
また、請求項２の発明にあっては、前記折曲げ用光学素子に向けて撮影光を集光する、前記沈胴側ズーム光学系に設けられた集光レンズと、前記折曲げ用光学素子によって折り曲げられた撮影光を拡散させる拡散レンズとを備えたものとした。
【０００８】
かかる構成においては、インナー側ズーム光学系の移動領域の光路幅を狭くすることができる。したがって、カメラ本体の厚みをさらに薄くすることができる。
【０００９】
また、請求項３の発明にあっては、前記拡散レンズは、前記折曲げ用光学素子によって折り曲げられた撮影光を前記インナー側ズーム光学系へ拡散して入射させるものとした。
【００１０】
また、請求項４の発明にあっては、前記集光レンズは、前記折曲げ用光学素子に被写体の光学像を結像させるフォーカスレンズであるものとした。
【００１１】
また、請求項５の発明にあっては、前記インナー側ズーム光学系を通って結像された被写体の光学像を撮像する撮像素子と、この撮像素子によって撮像された被写体画像の画像データを記録する記録手段とを備えたものとした。
【００１２】
また、請求項６の発明にあっては、前記沈胴側ズーム光学系を駆動する沈胴側駆動手段と、前記インナー側ズーム光学系を駆動するインナー側駆動手段と、撮影モードの動作終了時に、前記沈胴側駆動手段により沈胴側ズーム光学系を前記レンズ鏡筒と共にカメラ本体に収容させ、かつ前記インナー側駆動手段によりインナー側ズーム光学系を、カメラ本体に収容された状態の沈胴側ズーム光学系に対応するワイド端側の倍率位置に駆動せる制御手段とを備えたものとした。
【００１３】
かかる構成においては、撮影モードの動作開始時（電源オン時）に、インナー側ズーム光学系が、カメラ本体に収容された状態の沈胴側ズーム光学系に対応するワイド端側の倍率位置にあるため、撮影モード設定操作又は電源オン操作の直後には、沈胴側ズーム光学系やインナー側ズーム光学系の駆動を待つことなくズームワイド状態での撮影を行うことができる。
【００１４】
また、請求項７の発明にあっては、レンズ鏡筒内に組み込まれ、カメラ本体に収容された状態、及びズーム倍率に応じてカメラ本体から繰り出された状態にレンズ鏡筒と共に駆動される沈胴側ズーム光学系と、カメラ本体の内部で、前記沈胴側ズーム光学系を通った撮影光を折り曲げる折曲げ用光学素子とを含む光学ズームレンズを備えたカメラ装置が有するコンピュータに、撮影モードの動作終了時に、沈胴側ズーム光学系を前記レンズ鏡筒と共にカメラ本体に収容させ、かつ前記インナー側駆動手段によりインナー側ズーム光学系を、カメラ本体に収容された状態の沈胴側ズーム光学系に対応するワイド端側の倍率位置に駆動させる処理を実行させるためのプログラムとした。
【発明の効果】
【００１５】
以上のように請求項１の発明にあっては、光学ズームの高倍率化に比較しカメラ本体の大型化の割合を小さくすることができることから、光学ズームの高倍率化とカメラ本体のコンパクト化とが同時に実現可能となる。
【００１６】
また、請求項２，３，４の発明にあっては、カメラ本体の厚みをさらに薄くすることができることから、更なるコンパクト化が実現可能となる。
【００１７】
また、請求項６の発明にあっては、電源オン操作又は撮影モード設定操作の直後には、沈胴側ズーム光学系やインナー側ズーム光学系の駆動を待つことなくズームワイド状態での撮影を行うことができるようにした。よって、利便性を向上させることができる。
【発明を実施するための最良の形態】
【００１８】
以下、本発明の一実施の形態を図にしたがって説明する。
（実施形態１）
図１及び図２は、本発明の第１の実施の形態におけるデジタルカメラ１を示す模式断面図である。このデジタルカメラ１は、一般的なＡＥ、ＡＦ機能を備えるとともに、先に背景技術において述べた沈胴式の光学ズームとインナー式の光学ズームとを備えている。
【００１９】
すなわちカメラ本体２の正面側上部には、図１に示した格納状態と、図２に示したようにカメラ本体２から繰り出された繰り出し状態とに駆動される３段構成を有する沈胴式のレンズ鏡筒３が設けられている。レンズ鏡筒３の内部には図示省略した駆動機構が組み込まれており、その駆動機構に、ズーム倍率に応じてレンズ鏡筒３と共に、あるいは鏡筒３内で光軸Ｏ方向に駆動される沈胴側ズームレンズ４が保持されている。
【００２０】
また、カメラ本体２の内部には、支持体１０に固定されるとともに、沈胴側ズームレンズ４を通った撮影光を折り曲げる折曲げ用光学素子としてのミラー５と、インナー側ズームレンズ６、フォーカスレンズ７、メカニカルシャッター（以下、単にシャッターという。）８、ＣＣＤ９が収容されている。
【００２１】
インナー側ズームレンズ６は前記支持体１０に組み付けられている図示しない駆動機構によって保持されており、ミラー５により折り曲げられた撮影光に沿って、すなわち光軸Ｏ上をズーム倍率に応じて上下方向に駆動される。なお、本実施の形態において、沈胴側ズームレンズ４及びインナー側ズームレンズ６の各々において単独で確保可能な最大ズーム倍率はそれぞれ３倍である。
【００２２】
また、フォーカスレンズ７もインナー側ズームレンズ６と同様に、支持体１０に組み付けられている図示しない駆動機構によって保持されている。そして、被写体距離に応じ、またはインナー側ズームレンズ６に追従して光軸Ｏ上を上下方向に駆動されることにより、上記の各光学系を経た撮影光をＣＣＤ９の受光面に結像させる。また、シャッター８はＣＣＤ９に到る光路を開閉する。
【００２３】
図３は上記デジタルカメラ１の電気的構成の概略を示すブロック図である。デジタルカメラ１はシステムの全体の制御を行うＣＰＵ２１を中心として、以下の各部から構成されている。
【００２４】
図において沈胴側レンズブロック２２は前述した沈胴側ズームレンズ４を含む駆動機構を示したブロックであり、その駆動源である第１のモーター２３を制御するための第１のモーター制御部２４がＣＰＵ２１と接続されている。インナー側レンズブロック２５は、前述したインナー側ズームレンズ６を含む駆動機構、及びフォーカスレンズ７を含む駆動機構の双方を示したブロックであり、各々の駆動源である第２のモーター（実際には個別に存在する）２６を制御するための第２のモーター制御部２７がＣＰＵ２１と接続されている。これにより、ＣＰＵ２１によって沈胴側ズームレンズ４とインナー側ズームレンズ６とにおけるレンズ位置制御が可能となっている。つまり第１のモーター２３及び第１のモーター制御部２４によって本発明の沈胴側駆動手段が実現され、かつ第２のモーター２６及び第２のモーター制御部２７によって本発明のインナー側駆動手段が実現されている。また、ＣＰＵ２１には、前記シャッター８を開閉駆動するためのシャッター制御部２８も接続されている。
【００２５】
前記ＣＣＤ９は、図示省略した駆動回路によって駆動され、前記フォーカスレンズ７によって結像された被写体の光学像を撮像する。ＣＣＤ９により撮像された画像は画像メモリ２９に一時記憶された後、画像処理部３０によって所定の処理を施され、液晶モニタ等からなる表示部３１において画面表示される。画像処理部３０は、画像メモリ２９に一時記憶された画像データの圧縮処理や、圧縮状態の画像データの伸張処理を行い、画像処理部３０で圧縮された画像データは、カメラ本体２に装着された各種のメモリカードからなる外部メモリ３２（記録手段）に記録される。
【００２６】
また、ＣＰＵ２１にはキー入力部３３とフラッシュメモリ３４が接続されている。キー入力部３３は、電源ボタンや撮影を指示するためシャッターキー、ズーム操作ボタン、モード切替ボタン等の図示しないスイッチ類から構成されている。なお、スイッチ類の操作状態はＣＰＵ２１により定期的にスキャンされる。フラッシュメモリ３４にはＣＰＵ２１によって実行される各種のプログラムが記憶されており、ＣＰＵ２１は、それらのプログラムと、上記スイッチ類の操作状態とに基づき前述した各部を制御する。特に本実施の形態では、後述する制御を行うことにより本発明の制御手段として機能する。
【００２７】
図４は、前記デジタルカメラ１が電源のオン操作に伴い起動した後、ＣＰＵ２１が実行する処理内容を示したフローチャートである。なお、ここでは電源オン時においてデジタルカメラ１に撮影モード（記録モード）が設定されているものとする。
【００２８】
図示しようにＣＰＵ２１は、起動と共に動作を開始し、まず所定のスルーレートでのＣＣＤ９による被写体の撮像、及び撮像結果の表示部３１によるスルー表示を開始する（ステップＳ１）。次に、シャッターキーが押されたか否かを判断し、シャッターキーが押されたら（ステップＳ２でＹＥＳ）、ＣＣＤ９に被写体を撮像させるとともに、撮像により取得した画像データを外部メモリ３２へ記録させる（ステップＳ３）。
【００２９】
また、シャッターキーが押されていなければ（ステップＳ２でＮＯ）、引き続きズームキーによるズーム操作の有無を判断し、ズーム操作があったときには（ステップＳ４でＹＥＳ）、以下の処理を実行する。
【００３０】
すなわちズーム操作があったときには、それがテレ側への操作であった場合には（ステップＳ５で「テレ側」）、インナー側ズームレンズ６を優先して駆動する（ステップＳ６）。つまり、その時点でインナー側ズームレンズ６の位置がテレ端でなければ、まずインナー側ズームレンズ６をテレ側へ駆動する。また、インナー側ズームレンズ６が既にテレ端に達していれば、つまりズーム倍率が３倍となっていたときには、レンズ鏡筒３の繰り出しを行う沈胴側ズームレンズ４をテレ側へ駆動する。これにより、ズーム倍率を３倍〜９倍の間のいずれかに変更する。また、ズーム操作がワイド側への操作であった場合には（ステップＳ５で「ワイド側」）、沈胴側ズームレンズ４を優先して駆動する（ステップＳ７）。つまり、その時点で沈胴側ズームレンズ４の位置がワイド端でなければ、まず沈胴側ズームレンズ４をワイド側へ駆動するとともに、沈胴側ズームレンズ４が既に、レンズ鏡筒３が図１に示した格納状態におけるワイド端に達していれば、インナー側ズームレンズ６をワイド側へ駆動する。そして、ユーザーによる電源オフ操作があるまで（ステップＳ８でＮＯ）、上述した処理を繰り返す。
【００３１】
一方、ＣＰＵ２１は、上記処理を繰り返す間に電源がオフ操作されたら（ステップＳ８でＹＥＳ）、沈胴側ズームレンズ４（レンズ鏡筒３）のカメラ本体２への格納を開始する（ステップＳ９）。なお、電源がオフされた時点で沈胴側ズームレンズ４が既に格納位置（本実施の形態ではワイド端）にある場合には、係る処理はスキップする。引き続き、その時点でインナー側ズームレンズ６の位置がワイド端であれば（ステップＳ１０でＹＥＳ）、そのまま沈胴側ズームレンズ４の格納終了を待って（ステップＳ１２）、全ての処理終了する。なお、上記のように沈胴側ズームレンズ４が既に格納位置にあった場合には、直ちに全ての処理終了する。また、インナー側ズームレンズ６の位置がワイド端でなければ（ステップＳ１０でＮＯ）、それをワイド端まで駆動した後（ステップＳ１１）、沈胴側ズームレンズ４の格納終了を待って、またはた直ちに全ての処理終了する。
【００３２】
なお、ここでは一例としてデジタルカメラ１に撮影モードが設定されている状態で電源がオン操作され、その後、電源がオフ操作された場合について説明したが、上述した処理は、デジタルカメラ１の起動中に、撮影モード以外の他の動作モードから撮影モードへのモード変更があり、その後、電源がオフ操作された場合、又は撮影モード以外の他の動作モードへのモード変更があった場合においても同様である。
【００３３】
ここで、以上説明した本実施の形態のデジタルカメラ１においては、沈胴側ズームレンズ４とインナー側ズームレンズ６とによって被写体を拡大することによって最大で９倍のズーム倍率を得ることができる。しかも、同様の最大ズーム倍率を、従来のように沈胴側ズームレンズ４又はインナー側ズームレンズ６のいずれか一方のみによって達成する場合に比べ、カメラ本体２の厚みＷや高さＨ（図１参照）を小さなものとすることができる。つまり光学ズームの高倍率化に比較しカメラ本体２の大型化の割合を小さくすることができる。したがって、光学ズームの高倍率化とカメラ本体のコンパクト化とを同時に実現することができる。
【００３４】
さらに、本実施の形態においては、上述したように記録モードでの電源オフ時や、動作モードが撮影モードから他のモードに変更された時点、すなわち撮影モードの動作終了時においてインナー側ズームレンズ６をワイド端へ移動させることから、以下の利点がある。すなわち次回の撮影時（又は起動時も同様）には、沈胴側ズームレンズ４とインナー側ズームレンズ６の駆動を待つことなく、シャッターキーを押すだけで直ちにズームワイド状態での撮影を行うことができる。つまり高速起動が可能である。なお、係る効果については、本実施の形態のように沈胴側ズームレンズ４とインナー側ズームレンズ６との双方を備えたカメラ装置に限定されるものでなく、インナー側ズームレンズ６のみを備えたカメラ装置においても、撮影モードの動作終了時にインナー側ズームレンズ６をワイド端へ移動させるようにすれば、同様の動作を得ることができる。
【００３５】
（実施形態２）
図５及び図６は、本発明の第２の実施の形態におけるデジタルカメラ５１を示す模式断面図である。このデジタルカメラ５１も第１の実施の形態で説明したものと同様、一般的なＡＥ、ＡＦ機能を備えるとともに、沈胴式の光学ズームとインナー式の光学ズームとを備えたものである。
【００３６】
すなわちカメラ本体５２の正面側上部には、図５に示した格納状態と、図６に示したようにカメラ本体５２から繰り出された繰り出し状態とに駆動される３段構成を有する沈胴式のレンズ鏡筒５３が設けられている。レンズ鏡筒５３の内部には図示省略した駆動機構が組み込まれており、その駆動機構に、ズーム倍率に応じてレンズ鏡筒５３と共に、あるいはレンズ鏡筒５３内で光軸Ｏ方向に駆動される沈胴側ズームレンズ５４が保持されている。
【００３７】
さらに、上記駆動機構には、沈胴側ズームレンズ５４と共に沈胴側フォーカスレンズ６１が保持されている。沈胴側フォーカスレンズ６１は、被写体距離に応じて、または沈胴側ズームレンズ５４に追従して、レンズ鏡筒５３と共に、あるいはレンズ鏡筒５３内で光軸Ｏ方向に駆動されることによって、沈胴側ズームレンズ５４を通った撮影光を後述するミラー５５に結像させる。
【００３８】
また、カメラ本体５２の内部には、支持体６０に固定されるとともに、沈胴側ズームレンズ５４と沈胴側フォーカスレンズ６１を通った撮影光を折り曲げる折曲げ用光学素子としてのミラー５５と、拡散レンズ６２、インナー側ズームレンズ５６、インナー側フォーカスレンズ５７、メカニカルシャッター５８、ＣＣＤ５９が収容されている。
【００３９】
拡散レンズ６２は、前記ミラー５５と同様に前記支持体６０に固定されており、沈胴側フォーカスレンズ６１によりミラー５５にいったん結像され、かつミラー５５で折り曲げられた撮影光を拡散してインナー側ズームレンズ５６に入射させる。
【００４０】
インナー側ズームレンズ５６は、前記支持体６０に組み付けられている図示しない駆動機構によって保持されており、ミラー５５により折り曲げられた撮影光に沿って、すなわち光軸Ｏ上をズーム倍率に応じて上下方向に駆動される。なお、本実施の形態において、沈胴側ズームレンズ５４及びインナー側ズームレンズ５６の各々において単独で確保可能な最大ズーム倍率はそれぞれ３倍である。
【００４１】
また、インナー側フォーカスレンズ５７もインナー側ズームレンズ５６と同様に、支持体６０に組み付けられている図示しない駆動機構によって保持されている。そして、被写体距離に応じ、またはインナー側ズームレンズ５６に追従して光軸Ｏ上を上下方向に駆動されることにより、上記の各光学系を経た撮影光をＣＣＤ５９の受光面に結像させる。また、メカニカルシャッター５８はＣＣＤ５９に到る光路を開閉する。
【００４２】
なお、上記デジタルカメラ５１における電気的構成については、第１の実施の形態で図３に示した構成が以下の点を除いてそのまま対応するため、説明を省略する。すなわち本実施の形態では、前記沈胴側レンズブロック２２が、前記沈胴側ズームレンズ５４を含む駆動機構、及び前記沈胴側フォーカスレンズ６１を含む駆動機構の双方を示したブロックとなり、前記第１のモーター制御部２４が、上記各々の駆動源である第１のモーター（実際には個別に存在する）２３を制御するものとなる。
【００４３】
そして、以上の構成からなるデジタルカメラ５１においても、第１の実施の形態で示したデジタルカメラ１と同様、沈胴側ズームレンズ５４とインナー側ズームレンズ５６とによって被写体を拡大することによって最大で９倍のズーム倍率を得ることができる。しかも、同様の最大ズーム倍率を、従来のように沈胴側ズームレンズ５４又はインナー側ズームレンズ５６のいずれか一方のみによって達成する場合に比べ、カメラ本体５２の厚みＷや高さＨ（図５参照）を小さなものとすることができる。つまり光学ズームの高倍率化に比較しカメラ本体２の大型化の割合を小さくすることができる。したがって、光学ズームの高倍率化とカメラ本体のコンパクト化とを同時に実現することができる。
【００４４】
しかも、撮影光を沈胴側フォーカスレンズ６１によって第１の実施の形態で説明したミラー５よりも小型のミラー５５にいったん結像させた撮影光を拡散レンズ６２によって拡散してインナー側ズームレンズ５６に入射させる構成としたことから、図６に示したように、インナー側ズームレンズ５６の移動領域を沈胴側ズームレンズ５４と逆のＣＣＤ５９側に後退させ、かつその部分における光路幅Ａを、後退させない場合の光路幅Ｂよりも狭くすることによって、カメラ本体５２に、レンズ鏡筒５３の格納に適した余裕空間１００を確保することができる。よって、カメラ本体５２の内部にレンズ鏡筒５３を効率よく格納させることができる。
【００４５】
さらに、本実施の形態とは異なり、ミラー５５と拡散レンズ６２との間の光路上に小型のインナー側ズームレンズ５６とインナー側フォーカスレンズ５７を設けるようにしてもよい。この場合、ＣＣＤ９の直前まで光路幅Ａとすることができるので余裕空間１００をさらに広げることが可能になる。その結果、カメラ本体５２の内部におけるレンズ鏡筒５３以外の他の構成部品を配置するときの自由度を拡げることにより、さらなるコンパクト化が可能となる。
【００４６】
そのため、第１の実施の形態におけるデジタルカメラ１に比べ、カメラ本体５２の厚みＷをさらに薄くすることができる。つまり光学ズームの高倍率化に比較しカメラ本体５２の大型化の割合を極めて小さくすることができる。特に、本実施の形態では、撮影光を沈胴側フォーカスレンズ６１によって小型のミラー５５にいったん結像させるため、前述した光路幅Ａを最小とすることができ、上記効果が大である。
【００４７】
なお、本実施の形態においては、撮影光をミラー５５にいったん結像させる構成としたが、結像させるまでには到らずとも、撮影光を小型のミラー５５に向けて集光するものであれば、沈胴側フォーカスレンズ６１を他の集光レンズとすることもできる。
【００４８】
また、本実施の形態のデジタルカメラ５２においても、前記デジタルカメラ１と同様に、撮影モードの動作終了時においてインナー側ズームレンズ５６をワイド端へ移動させるようにすれば、次回の撮影時（又は起動時も同様）には、インナー側ズームレンズ５６の駆動を待つことなく、シャッターキーを押すだけで直ちにズームワイド状態での撮影を行うことができる。つまり高速起動が可能となる。
【００４９】
また、以上の説明においては、本発明をデジタルカメラに適用した場合について説明したが、これに限らず、本発明は光学ズームを備えたカメラ装置であれば、従来の銀塩カメラ等にも適用することができる。
【図面の簡単な説明】
【００５０】
【図１】第１の実施の形態におけるデジタルカメラを示す、沈胴式のレンズ鏡筒が格納状態にあるときの模式断面図である。
【図２】同沈胴式のレンズ鏡筒が繰り出し状態にあるときの模式断面図である。
【図３】デジタルカメラの電気的構成の概略を示すブロック図である。
【図４】本発明に係るＣＰＵの処理内容を示すフローチャートである。
【図５】第２の実施の形態におけるデジタルカメラを示す、沈胴式のレンズ鏡筒が格納状態にあるときの模式断面図である。
【図６】同沈胴式のレンズ鏡筒が繰り出し状態にあるときの模式断面図である。
【符号の説明】
【００５１】
２    カメラ本体
４    沈胴側ズームレンズ
５    ミラー
６    インナー側ズームレンズ
９    ＣＣＤ
２１    ＣＰＵ
２３    第１のモーター
２４    第１のモーター制御部
２６    第２のモーター
２７    第２のモーター制御部
３２    外部メモリ
３４    フラッシュメモリ
５２    カメラ本体
５４    沈胴側ズームレンズ
５５    ミラー
５６    インナー側ズームレンズ
５７    インナー側フォーカスレンズ
６１    沈胴側フォーカスレンズ
６２    拡散レンズ
１００    余裕空間
Ａ，Ｂ    光路幅
Ｏ    光軸
【図１】
2006243234.tif 000003
【図２】
2006243234.tif 000004
【図３】
2006243234.tif 000005
【図４】
2006243234.tif 000006
【図５】
2006243234.tif 000007
【図６】
2006243234.tif 000008